(57)【要約】  【課題】  移動した位置で受信できる番組の中からユーザの嗜好に合致した番組を受信する。  【解決手段】  自動車２に搭載された番組受信装置１０は、ユーザよりキーワード及び検索条件を受け付けると共に現在の位置を検出し、キーワード及び位置データを番組管理サーバ７へ送信する。番組管理サーバ７は番組データを蓄積しており、送信されてきたキーワード及び位置に応じた所要放送時間分の番組表データを作成して番組受信装置１０へ送信する。番組受信装置１０は、送信されてきた番組表データより番組表データベースを作成し、その番組表データベースの中からキーワードに該当する番組を現在の時刻で検索し、該当した番組の受信を行う。【選択図】      図１
2005236901.tif 000002
【特許請求の範囲】
【請求項１】
位置検出手段を有し、移動体に搭載される番組受信装置が、放送される番組に係る情報を記憶する情報記憶装置から番組表を取得し、該番組表に基づいて放送装置から送信される番組を受信する番組受信方法であって、
前記番組受信装置は、
検索キーを受け付け、
前記位置検出手段により位置を検出し、
検出した位置を前記情報記憶装置へ送信し、
前記情報記憶装置は、
送信されてきた位置に基づき前記番組受信装置が受信可能である番組の情報を有する番組表を作成し、
作成した番組表を前記番組受信装置へ送信し、
前記番組受信装置は、
送信されてきた番組表の中から前記検索キーに応じた番組を検索し、
検索した番組を受信することを特徴とする番組受信方法。
【請求項２】
位置検出手段を有し、移動体に搭載される番組受信装置が、放送される番組に係る情報を記憶する情報記憶装置から番組表を取得し、該番組表に基づいて放送装置から送信される番組を受信する番組受信方法であって、
前記番組受信装置は、
検索キーを受け付け、
前記位置検出手段により位置を検出し、
受け付けた検索キー及び検出した位置を前記情報記憶装置へ送信し、
前記情報記憶装置は、
送信されてきた検索キー及び位置に基づき前記番組受信装置が受信可能であり且つ検索キーに関連する番組の情報を有する番組表を作成し、
作成した番組表を前記番組受信装置へ送信し、
前記番組受信装置は、
送信されてきた番組表の中から前記検索キーに応じた番組を検索し、
検索した番組を受信することを特徴とする番組受信方法。
【請求項３】
位置検出手段を有し、移動体に搭載される番組受信装置が、放送される番組に係る情報を記憶する情報記憶装置放送から番組及び該番組の受信可能地域に係る情報を有する番組一覧を取得し、該番組一覧に基づいて放送装置から送信される番組を受信する番組受信方法であって、
前記番組受信装置は、
検索キーを受け付け、
前記位置検出手段により位置を検出し、
検出した位置で受信可能であり且つ前記検索キーに応じた番組を前記番組一覧の中から検索し、
検索した番組を受信することを特徴とする番組受信方法。
【請求項４】
位置を検出する位置検出手段と、
検索キーを受け付ける受付手段と、
検出した位置、若しくは検出した位置及び受け付けた検索キーの外部への送信を行う送信手段と、
該送信手段が送信を行った場合、外部から番組表を受信する番組表受信手段と、
該番組表受信手段が受信した番組表の中から受け付けた検索キーに応じた番組を検索する番組検索手段と、
該番組検索手段が検索した番組を受信する受信手段と
を備えることを特徴とする番組受信装置。
【請求項５】
位置を検出する位置検出手段と、
検索キーを受け付ける受付手段と、
外部から番組一覧を受信する番組一覧受信手段と、
該番組一覧受信手段が受信した番組一覧の中から検出した位置で受信可能であり且つ受け付けた検索キーに応じた番組を検索する番組検索手段と、
該番組検索手段が検索した番組を受信する受信手段と
を備えることを特徴とする番組受信装置。
【請求項６】
前記受信手段による番組の受信状況の検知を行う状況検知手段を更に備え、
前記番組検索手段は、前記状況検知手段の検知に応じて新たな番組を検索する手段を備える請求項４又は請求項５に記載の番組受信装置。
【請求項７】
前記状況検知手段は、前記位置検出手段により検出された位置が受信する番組の受信可能地域内であるか否かを判断する判断手段を備え、
該判断手段が前記検出された位置は番組の受信可能地域内でないと判断した場合、前記番組検索手段は新たな番組を検索すべくなしてある請求項６に記載の番組受信装置。
【請求項８】
前記受信手段が受信する番組の放送が終了したか否かを検出する終了検出手段を更に備え、
前記番組検索手段は、前記終了検出手段が番組の放送の終了を検出した場合、新たな番組の検索を行う手段を備える請求項４乃至請求項７のいずれかに記載の番組受信装置。
【請求項９】
前記番組検索手段の検索に係る条件を受け付ける条件受付手段を更に備える請求項４乃至請求項８のいずれかに記載の番組受信装置。
【請求項１０】
前記受信手段は、地上デジタルテレビ放送、衛星デジタルテレビ放送、ＶＨＦテレビ放送、ＵＨＦテレビ放送、衛星アナログテレビ放送、インターネットテレビ放送、地上デジタルラジオ放送、衛星デジタルラジオ放送、ＡＭ短波ラジオ放送、ＡＭ中波ラジオ放送、ＦＭラジオ放送、衛星アナログラジオ放送、又はインターネットラジオ放送のいずれか２つ以上を受信対象にしており、
前記条件受付手段は、受信対象の優先度を受け付ける手段を備える請求項９に記載の番組受信装置。
【請求項１１】
前記受付手段は、複数の検索キーを受け付けることが可能にしてあり、
前記条件受付手段は、前記受付手段が受け付けた複数の検索キーの組合せ関係を受け付ける手段を備える請求項９又は請求項１０に記載の番組受信装置。
【請求項１２】
前記番組検索手段は、前記条件受付手段が受け付けた条件に合致する程度の高い順に複数の番組の検索を行う手段を備え、
前記受信手段は、前記番組検索手段が検索した番組の順に受信を行う手段を備える請求項９乃至請求項１１のいずれかに記載の番組受信装置。
【発明の詳細な説明】
【技術分野】
【０００１】
本発明は、移動した位置で受信できる番組の中からユーザが希望する条件に合致する番組を自動的に受信できるようにした番組受信方法及び番組受信装置に関する。
【背景技術】
【０００２】
従来、自動車のような移動体に搭載される放送受信装置には、放送に係る周波数帯域を定期的にサーチして各放送局からの電波を受信し、受信した電波の中で電界強度の高い電波に係る周波数を順次記憶して各周波数を選局ボタンに割り付けることにより、選局操作の容易化及び良好な放送受信を可能にした装置が存在する。また、従来の放送受信装置の中にはＧＰＳ（Global Positioning System）を利用して現在位置を検出する位置検出装置を組み合わせることで、現在位置で受信可能な周波数帯域をサーチし、移動体が移動する場所毎に効率的な選局を行えるようにした装置も存在する（特許文献１、２参照）。
【０００３】
一方、移動体に搭載される装置とは別に、テレビ放送の番組を受信して記録する据え置き型の番組記録装置には、ユーザの趣味及び好みの俳優名等の言葉をキーワードとして入力することで、放送局から送信されてくる電子番組表に対して入力されたキーワードで番組の検索を行い、検索に合致した番組を順次記録する装置がある。
【特許文献１】特開平６−９０１８３号公報
【特許文献２】特開２００２−３１４３７９号公報
【発明の開示】
【発明が解決しようとする課題】
【０００４】
上述した特許文献１、２に係る装置では、移動体の移動に応じて良好に受信できる放送局を選択できるが、選択できる放送局から放送される番組が必ずしもユーザが望む内容と一致するとは限らない。そのため、ユーザは好みの番組を選択できるまで選局操作を逐次行わなければならないと云う問題がある。また、この問題は、受信できる放送対象がＡＭ・ＦＭラジオ放送に加えて、テレビ放送及びインターネットを介したテレビ・ラジオ放送等にも対応した装置では、選局対象の放送局も多くなるため特に顕著となる。
【０００５】
上述したような問題に対して、放送受信装置に従来の番組記録装置に係る検索機能を適用することも想定できるが、検索機能に利用される電子番組表は、現時点ではテレビ放送分のみが送信されている状況なので、移動体での需要が多いラジオ放送に適用できないと云う問題がある。また、従来の番組記録装置は移動体への搭載が想定されていないため、移動体の移動に応じて適切な検索を行えないと云う問題がある。さらに、今後、放送が開始されるデジタルラジオ放送ではラジオ番組に係る電子番組表の配信が予想されるため、このようなラジオ用の電子番組表を移動体用の受信装置で活用できるように、その内容を適切に規定する必要もある。
【０００６】
本発明は、斯かる事情に鑑みてなされたものであり、移動体が位置する場所で良好に受信できる放送局から放送される番組の中でユーザの嗜好に合致する番組を自動的に選択するようにした番組受信方法及び番組受信装置を提供することを目的とする。
また、本発明は、より詳細な検索及び移動により変動する番組受信状況に応じた番組選択等を効率的に行えるようにした番組受信装置を提供することを目的とする。
【課題を解決するための手段】
【０００７】
上記課題を解決するために第１発明に係る番組受信方法は、位置検出手段を有し、移動体に搭載される番組受信装置が、放送される番組に係る情報を記憶する情報記憶装置から番組表を取得し、該番組表に基づいて放送装置から送信される番組を受信する番組受信方法であって、前記番組受信装置は、検索キーを受け付け、前記位置検出手段により位置を検出し、検出した位置を前記情報記憶装置へ送信し、前記情報記憶装置は、送信されてきた位置に基づき前記番組受信装置が受信可能である番組の情報を有する番組表を作成し、作成した番組表を前記番組受信装置へ送信し、前記番組受信装置は、送信されてきた番組表の中から前記検索キーに応じた番組を検索し、検索した番組を受信することを特徴とする。
【０００８】
第２発明に係る番組受信方法は、位置検出手段を有し、移動体に搭載される番組受信装置が、放送される番組に係る情報を記憶する情報記憶装置から番組表を取得し、該番組表に基づいて放送装置から送信される番組を受信する番組受信方法であって、前記番組受信装置は、検索キーを受け付け、前記位置検出手段により位置を検出し、受け付けた検索キー及び検出した位置を前記情報記憶装置へ送信し、前記情報記憶装置は、送信されてきた検索キー及び位置に基づき前記番組受信装置が受信可能であり且つ検索キーに関連する番組の情報を有する番組表を作成し、作成した番組表を前記番組受信装置へ送信し、前記番組受信装置は、送信されてきた番組表の中から前記検索キーに応じた番組を検索し、検索した番組を受信することを特徴とする。
【０００９】
第３発明に係る番組受信方法は、位置検出手段を有し、移動体に搭載される番組受信装置が、放送される番組に係る情報を記憶する情報記憶装置放送から番組及び該番組の受信可能地域に係る情報を有する番組一覧を取得し、該番組一覧に基づいて放送装置から送信される番組を受信する番組受信方法であって、前記番組受信装置は、検索キーを受け付け、前記位置検出手段により位置を検出し、検出した位置で受信可能であり且つ前記検索キーに応じた番組を前記番組一覧の中から検索し、検索した番組を受信することを特徴とする。
【００１０】
第４発明に係る番組受信装置は、位置を検出する位置検出手段と、検索キーを受け付ける受付手段と、検出した位置、若しくは検出した位置及び受け付けた検索キーの外部への送信を行う送信手段と、該送信手段が送信を行った場合、外部から番組表を受信する番組表受信手段と、該番組表受信手段が受信した番組表の中から受け付けた検索キーに応じた番組を検索する番組検索手段と、該番組検索手段が検索した番組を受信する受信手段とを備えることを特徴とする。
【００１１】
第５発明に係る番組受信装置は、位置を検出する位置検出手段と、検索キーを受け付ける受付手段と、外部から番組一覧を受信する番組一覧受信手段と、該番組一覧受信手段が受信した番組一覧の中から検出した位置で受信可能であり且つ受け付けた検索キーに応じた番組を検索する番組検索手段と、該番組検索手段が検索した番組を受信する受信手段とを備えることを特徴とする。
【００１２】
第６発明に係る番組受信装置は、前記受信手段による番組の受信状況の検知を行う状況検知手段を更に備え、前記番組検索手段は、前記状況検知手段の検知に応じて新たな番組を検索する手段を備えることを特徴とする。
第７発明に係る番組受信装置は、前記状況検知手段は、前記位置検出手段により検出された位置が受信する番組の受信可能地域内であるか否かを判断する判断手段を備え、該判断手段が前記検出された位置は番組の受信可能地域内でないと判断した場合、前記番組検索手段は新たな番組を検索すべくなしてあることを特徴とする。
【００１３】
第８発明に係る番組受信装置は、前記受信手段が受信する番組の放送が終了したか否かを検出する終了検出手段を更に備え、前記番組検索手段は、前記終了検出手段が番組の放送の終了を検出した場合、新たな番組の検索を行う手段を備えることを特徴とする。
第９発明に係る番組受信装置は、前記番組検索手段の検索に係る条件を受け付ける条件受付手段を更に備えることを特徴とする。
【００１４】
第１０発明に係る番組受信装置は、前記受信手段は、地上デジタルテレビ放送、衛星デジタルテレビ放送、ＶＨＦテレビ放送、ＵＨＦテレビ放送、衛星アナログテレビ放送、インターネットテレビ放送、地上デジタルラジオ放送、衛星デジタルラジオ放送、ＡＭ短波ラジオ放送、ＡＭ中波ラジオ放送、ＦＭラジオ放送、衛星アナログラジオ放送、又はインターネットラジオ放送のいずれか２つ以上を受信対象にしており、前記条件受付手段は、受信対象の優先度を受け付ける手段を備えることを特徴とする。
【００１５】
第１１発明に係る番組受信装置は、前記受付手段は、複数の検索キーを受け付けることが可能にしてあり、前記条件受付手段は、前記受付手段が受け付けた複数の検索キーの組合せ関係を受け付ける手段を備えることを特徴とする。
第１２発明に係る番組受信装置は、前記番組検索手段は、前記条件受付手段が受け付けた条件に合致する程度の高い順に複数の番組の検索を行う手段を備え、前記受信手段は、前記番組検索手段が検索した番組の順に受信を行う手段を備えることを特徴とする。
【００１６】
第１発明、第２発明及び第４発明にあっては、番組受信装置が受け付けた検索キー及び検出した位置、若しくは検出した位置を情報記憶装置へ送信し、情報記憶装置は送信された条件に応じた番組表を作成し、この番組表に対して番組受信装置が番組の検索を行うので、番組受信装置は、絞られた検索対象からユーザの嗜好に合った番組を迅速に検索できるようになり、移動体に適した受信処理を実現できる。
【００１７】
第３発明及び第５発明にあっては、番組受信装置が番組一覧を利用して検出した位置で受信可能な番組の中から検索キーに応じた番組を検索するため、どのような位置でも番組一覧を受信すればユーザの嗜好に合致する番組を効率良く探すことが可能になり、また、情報記憶装置は、番組一覧を適宜送信する処理だけで済むため、情報記憶装置側での処理内容を簡易化できる。
【００１８】
第６発明にあっては、状況検知手段が番組の受信状況を検知すると共に、その検知した受信状況に応じて新たな番組を検索するので、移動体の移動により変動する受信状況に対応した番組検索を行えるようになる。
第７発明にあっては、判断手段が検索された番組の受信可能地域内に現在の位置があるか否かを判断し、現在の位置が受信可能地域内にない場合は新たな番組を検索するので、移動体の移動に伴い検索された番組を良好に受信できなくなっても、移動先でユーザの嗜好に合致した新たな番組を受信でき、移動体の特性に応じた番組受信を実現できる。
【００１９】
第８発明にあっては、検索した番組の放送が終了したか否かを検出し、放送が終了したことを検出した場合、新たな番組を検索するので、ユーザは特別な操作を行うことなく自動的に現在放送されている番組の中から好みに合致した番組を連続的に受信できるようになる。
第９発明にあっては、番組検索に係る条件を受け付けるので、より詳細な検索が可能となりユーザの好みに合う番組を探しやすくなる。
【００２０】
第１０発明にあっては、様々な放送を受信できるようにして、受信対象の優先度を受け付けるので、ＡＭラジオ放送又はＦＭラジオ放送といった一種類の放送だけでなく様々な種類の放送の中からユーザの嗜好に合致する番組を幅広く選択できるようになる。なお、ＡＭ短波ラジオ放送とは一般に短波ラジオ放送と称される放送を意味し、ＡＭ中波ラジオ放送とは一般にＡＭラジオ放送と称される放送を意味する。
第１１発明にあっては、複数の検索キーの組合せ関係を受付可能にしているので、ＡＮＤ検索、ＯＲ検索と云った組合せ関係を用いて、ユーザの好みに合う番組を詳細に検索できる。
【００２１】
第１２発明にあっては、条件に合致する程度の高い順に複数の番組を検索し、その順に番組の受信を行うので、もし、最初に受信する番組がユーザの好みに合わない場合でも、ユーザの好みに合う可能性の高い番組を順番に受信することになり、番組受信に係るユーザの操作負担を大幅に低減できるようになる。
【発明の効果】
【００２２】
第１発明、第２発明及び第４発明にあっては、番組受信装置が受け付けた検索キー及び検出した位置、若しくは検出した位置を送信し、また、情報記憶装置が送信された条件に応じた番組表を作成し、この番組表の中から番組受信装置が番組の検索を行うことにより、良好に受信でき且つユーザの嗜好に合った番組を容易に検索できる。また、番組受信装置は番組表と云う予め絞られた検索対象から検索を行うので、検索に係る処理負担を低減できると共に迅速に検索を行うことが可能となり、ユーザの番組選択に係る操作負担を低減して移動体に適した操作性を提供できる。
【００２３】
第３発明及び第５発明にあっては、番組受信装置が番組一覧を利用して検出した位置で受信可能な番組の中から検索キーに応じた番組を検索するため、送信されてくる番組一覧を活用して、移動先のどのような位置でもユーザの嗜好に合致する番組を効率良く受信できる。
【００２４】
第６発明にあっては、状況検知手段が番組の受信状況を検知すると共に、その検知した受信状況に応じて新たな番組を検索するので、移動体の移動により変動する受信状況に対応した番組検索を実現できる。
第７発明にあっては、現在の位置が検索された番組の受信可能地域内であるか否かを判断し、受信可能地域内でない場合は新たな番組を検索することで、移動により番組を良好に受信できなくなった場合でも、新たな番組を検索して受信するためスムーズにユーザの嗜好に合致した番組に変更でき、移動の影響を受けることなく番組受信に係るユーザの満足度を維持できる。
【００２５】
第８発明にあっては、検索した番組の放送が終了したか否かを検出し、放送が終了したことを検出した場合、新たな番組を検索することにより、自動的に現在放送されている番組の中からユーザの好みに合致した番組を受信できる。
第９発明にあっては、番組検索に係る条件を受け付けることにより、詳細な検索を可能にしてユーザの好みに合う番組の受信を容易に行える。
【００２６】
第１０発明にあっては、複数種類の放送を受信可能にすると共に、受信対象の優先度を受け付けることにより、様々な種類の放送の中からユーザの嗜好に合致する番組を幅広く選択できる。
第１１発明にあっては、複数の検索キーの組合せ関係を受付可能にしているので、一段と詳細な検索を実現できる。
第１２発明にあっては、条件に合致する程度の高い順番に複数の番組を検索し、その順番で番組の受信を行うことにより、ユーザの好みに合う可能性の高い番組が順に受信されることになり、ユーザの好みに合う番組をできるだけ素早く提供でき、番組受信に係るユーザ満足度も向上できる。
【発明を実施するための最良の形態】
【００２７】
図１は、本発明の実施形態に係る番組受信システム１の概略図である。番組受信システム１は、移動体である自動車２に搭載された番組受信装置１０が人工衛星４を利用したＧＰＳにより現在の位置を検出し、検出した位置で受信可能な番組の中からユーザの嗜好に合致した番組を放送局の放送装置３より受信するものである。このような処理を行うため、番組受信装置１０は、検出した位置及びユーザの嗜好を表すキーワードを無線通信で中継基地局６a〜６ｎを介してネットワーク５に接続された番組管理サーバ７へ送信する。また、番組管理サーバ７は送信されてきた位置及びキーワードに基づき図２に示す番組表データ３０を作成して番組受信装置１０へ送信する。よって、番組受信装置１０は送信されてきた番組表データ３０に基づき現在の時刻でユーザの嗜好に合致する番組をサーチし、サーチに該当した番組の受信を行う。
【００２８】
図３は、番組受信装置１０の構成を示すブロック図である。本実施形態の番組受信装置１０は、テレビ放送、ＡＭラジオ放送（ＡＭ中波ラジオ放送、以下同様）、及びＦＭラジオ放送に加えてインターネットラジオ放送を受信可能にしており、放送受信部１１でテレビ放送、ＡＭラジオ放送、及びＦＭラジオ放送を受信し、通信部１２でインターネットラジオ放送を受信するようにしている。また、番組受信装置１０は、ユーザからの指示を受け付ける操作部１３、装置全体の様々な制御を行うシステム制御部１４、各種データを記録する記録部１５、位置検出を行うＧＰＳ受信部１６、スピーカ１９から音声を出力する処理を行う音声信号処理部１８、及び表示部２０に映像及び操作メニュー等に係る画像を表示する処理を行う映像信号処理部１７を備えている。
【００２９】
放送受信部１１は、放送アンテナ１０ａと接続されており、外部から放送アンテナ１０ａで放送電波を受信し、放送電波に含まれる音声信号を音声信号処理部１８へ伝送すると共に、放送電波に含まれる映像信号をシステム制御部１４を介して映像信号処理部１７へ伝送する。なお、受信を行う放送局の周波数はシステム制御部１４により指示される。
【００３０】
通信部１２は、通信アンテナ１０ｃと接続されており、外部から通信アンテナ１０ｃで受信したインターネットラジオ放送の番組に係る音声信号をシステム制御部１４を介して音声信号処理部１８へ伝送する。さらに、通信部１２は、インターネットラジオ放送の受信以外にもデータの送受信を行い、システム制御部１４から伝送されてきた各種データを通信アンテナ１０ｃを介して外部へ送信すると共に外部から送信されてきたデータを受信してシステム制御部１４へ伝送する。
【００３１】
操作部１３は、番組受信装置１０の筐体外面に設けられており、電源ボタン、選局ボタン、キャンセルボタン、音量調節スイッチ等の複数のボタン及びスイッチを有し、ユーザから受け付けた指示をシステム制御部１４へ伝送する。なお、システム制御部１４は操作部１３からの指示を受けて各種制御処理及び処理に係る各種モードの設定を行う。
【００３２】
図４は、操作部１３の一部を示しており、番組受信装置１０は表示部２０を配置した筐体外面１０ｄに、操作部１３に係るキーワード入力ボタン１３ａ、検索条件ボタン１３ｂ、優先順位ボタン１３ｃ、十字キー１３ｄ〜１３ｇ、及び決定ボタン１３ｆを設けている。キーワード入力ボタン１３ａが押し下げられると、システム制御部１４の制御により番組受信装置１０はキーワード入力モードになり、表示部２０に「あ」〜「ん」等の文字リストメニューが表示され、十字キー１３ｄ〜１３ｇで文字を選択して決定ボタン１３ｆを押し下げることにより様々なキーワードを検索キーとして入力可能になる。キーワードは複数入力することも可能であり、ユーザがキーワード入力モードで趣味や嗜好に係るキーワードを入力して、自分の好み合った番組を受信できるようにしている。なお、入力するキーワードの具体例としては、地域名、カテゴリ、音楽ジャンル、アーティスト名等の言葉がある。
【００３３】
また、検索条件ボタン１３ｂが押し下げられると、図４に示すように、表示部２０に「ＡＮＤ検索」「ＯＲ検索」「完全一致」「類似検索」と云ったメニュー項目が選択可能に表示され、十字キー１３ｄ〜１３ｇでメニュー項目を選択して決定ボタン１３ｆを押し下げることにより検索条件が番組受信装置１０に受け付けられるようにしている。さらに、優先順位ボタン１３ｃが押し下げられると、テレビ放送、ＡＭラジオ放送、ＦＭラジオ放送、及びインターネットラジオ放送と云う放送種類の優先順位を決定するモードになる。このモードになると、番組受信装置１０は、各放送種類を表示部２０に選択可能に表示し、十字キー１３ｄ〜１３ｇでの選択及び決定ボタン１３ｆの押し下げにより、ユーザが受信を希望する放送の優先順位を受け付けるようにしている。なお、操作部１３は、番組の受信前又は番組の受信中のいずれでも上述したキーワード、検索条件、優先順位を受付可能にしている。
【００３４】
図３に示す記録部１５は、システム制御部１４と接続されており、システム制御部１４から伝送されてくる各種データの記録を行うと共に、システム制御部１４からの指示に基づき記録されているデータを読み出してシステム制御部１４へ伝送する処理を行う。ＧＰＳ受信部１６は、ＧＰＳアンテナ１０ｂと接続されており、人工衛星４からの電波を受信して現在の位置を所要間隔（例えば、３秒間隔）で検出し、検出した位置の緯度経度に係る位置データをシステム制御部１４へ伝送する処理を行う。また、映像信号処理部１７は、受け付けた映像信号に対して所要の処理を行うことで、表示部２０での画像表示出力を行う。音声信号処理部１８は、受け付けた音声信号に所要の処理を行ってスピーカ１９から音声を出力する。
【００３５】
システム制御部１４は、ＣＰＵ及びＲＯＭ等で構成されており、ＲＯＭにはＣＰＵが行う処理を規定したプログラムが記録されている。システム制御部１４が行う処理内容は多岐に及んでおり、ユーザの好みに合う番組の受信に関連する処理内容としては以下のものがある。先ず、システム制御部１４は、操作部１３で受け付けたキーワード及びＧＰＳ受信部１６で検出した位置に係る位置データを通信部１２から図１に示す番組管理サーバ７へ送信する処理を行う。なお、このような送信処理は新たなキーワードを受け付けた場合、及び新たな位置データの送信が必要な場合に行われる。また、システム制御部１４は、キーワード及び位置データを送信した場合、番組管理サーバ７から番組内容及び受信可能地域等の情報を含んだ番組表データ３０を受信できるように通信部１２に対する制御処理を行う。
【００３６】
さらに、システム制御部１４は、受信により取得した番組表データ３０に対して検索が行えるように、番組表データ３０のデータを用いて番組表データベースを作成し、その番組表データベースの中から現在の時刻において受信できる番組を受け付けたキーワードで検索する。検索処理に関してシステム制御部１４は、操作部１３で受け付けた検索条件及び優先順位に従って検索を行い、合致する番組が複数あるときは、条件に合致する程度の高い順に複数の番組を検索する。なお、システム制御部１４は作成した番組表データベースを記録部１５に記録して一旦保存する。
【００３７】
さらにまた、システム制御部１４は、検索した番組の中で最も条件に合致した番組を受信するように放送受信部１１の受信周波数又は通信部１２のデータ受信に係るＵＲＬを設定する制御を行う。このような処理をシステム制御部１４が行うことにより、番組受信装置１０はユーザの好みに合う番組を自動的に受信可能にしている。
【００３８】
また、自動的に検索された番組をユーザが気に入らず、操作部１３のキャンセルボタンが操作された場合、システム制御部１４は新たなキーワードが受け付けられたか否かを判断し、新たなキーワードが受け付けられた場合、そのキーワードで再度番組の検索を行う。なお、新たなキーワードの受け付けが無い場合で複数番組を検索したときは次に条件合致度が高い番組を順次受信するように放送受信部１１又は通信部１２に対する処理制御を行う。また、システム制御部１４は、番組の検索を行ったが、条件に合致するような番組を検索できなかったときは、「該当なし。新たなキーワードを入力して下さい。」と云う表示を表示部２０で行うように映像信号処理部１７を制御する。
【００３９】
上述したような検索により番組を受信した場合、システム制御部１４は受信している番組の放送が終了したか否かを内蔵する時刻部でカウントされる時刻と番組表データベースに記録される番組の終了時刻とを比較することで検出する。システム制御部１４が番組終了を検出した場合、記録部１５に記録している番組表データベースに対して終了した時刻で受信できる番組の検索を行う。また、番組が終了していないことを検出した場合、次にシステム制御部１４は、番組の受信状況の検知を行い、検知した状況によっては新たな番組を検索する処理を行う。
【００４０】
この新たな番組の検索処理として、システム制御部１４は、受信している番組の受信可能地域を記録部１５に記録した番組表データベースから読み出し、ＧＰＳ受信部１６で検出した位置が受信可能地域内であるか否かを判断する。検出した位置が受信可能地域内でないと判断した場合、システム制御部１４は検出した位置及び入力されたキーワードを番組管理サーバ７へ送信し、現在の位置に応じた番組表データを取得して再度検索に係る処理を行う。このような処理をシステム制御部１４が行うことにより、例えば、図５に示すように、番組受信装置１０を搭載した自動車２が放送装置３ａ〜３ｄからの放送を受信できる地域Ｚ１から、放送装置３ａ〜３ｄの放送受信が不可能であり、別の放送装置３ｅ〜３ｈの放送受信が可能な地域Ｚ２に移動した場合でも、放送装置３ｅ〜３ｈで放送される番組の中からユーザの好みに合う番組を自動且つスムーズに受信できるようになる。
【００４１】
なお、ＧＰＳ受信部１６で検出した位置が現在受信している番組の受信可能地域内であるときは、操作部１３で受信の停止操作を受け付けるまで受信を続行させる制御をシステム制御部１４は行う。また、システム制御部１４は、操作部１３での各種操作の受け付けに応じたメニュー内容を表示部２０に表示させる処理及び出力される音声の音量調整等に係る制御も行う。さらに、システム制御部１４は、放送受信部１１又は通信部１２で番組を受信する場合、受信する番組の番組情報、例えば、番組の放送に係る放送種類、放送局、番組タイトル、放送時間、音声言語、テレビ放送であればチャンネル番号、ラジオ放送であれば放送周波数、インターネット放送であればＵＲＬ、番組信号に係るコピー制限情報、番組信号の圧縮方式、複数検索したときの次に検索条件に合致した番組の概要等を番組表データベースから読み出して表示部２０に表示する制御を行う。
【００４２】
一方、図６は、番組管理サーバ７の内部構成を示すブロック図である。番組管理サーバ７は情報記憶装置に該当し、上述した番組受信装置１０と共に番組受信システム１を構成しており、通信処理部７ａ、ハードディスク７ｂ、ＣＰＵ７ｃ、ＲＡＭ７ｄ、及びＲＯＭ７ｅを内部バス７ｆで接続している。通信処理部７ｅはネットワーク５と接続されており、外部に対してＣＰＵ７ｃの制御に基づきデータの送受信を行う。ハードディスク７ｂには各放送局が放送する番組の番組データが記録されている。番組データには、その番組が放送される時間、放送される放送局、及び受信できる地域と云った情報に加えて、その番組の内容、出演者、ディスクジョッキー及び曲名等に係る情報等が番組毎に区分けされた構成になっており、このような番組データは放送される番組が決定される毎にハードディスク７ｂに順次追加記録されている。
【００４３】
ＣＰＵ７ｃは、通信処理部７ａを介して外部から送信されてきたキーワード及び位置データを受信すると、受信したキーワード及び位置データに関連した情報をハードディスク７ｂに記録されている番組データから抽出し、図２に示すような番組表データ３０を作成する。さらに、ＣＰＵ７ｃは、作成した番組表データ３０をキーワード及び位置データの送信元へ通信処理部７ａを介して送信する処理を行う。なお、本実施形態では、ＣＰＵ７ｃは８時間分の番組表データ３０を作成するようにしているが、８時間以外にも他の時間分、１日分、１週間分、又は１月分と云うように番組表データ３０の作成単位を適宜設定できるようにしている。なお、ＣＰＵ７ｃの処理に係る所要データはＲＡＭ７ｄに記録され、ＣＰＵ７ｃの基本的な処理内容はＲＯＭ７ｅに記録されている。
【００４４】
次に、上述した構成の番組受信装置１に係る番組受信方法の一連の処理手順を図７の第１フローチャート及び図８の第２フローチャートに基づいて説明する。第１フローチャートは、番組受信装置１０及び番組管理サーバ７が相互に連携した検索の前準備段階の処理内容を示し、第２フローチャートは、番組受信装置１０での検索に係る処理内容を示している。
【００４５】
先ず、図７の第１フローチャートに示すように、番組受信装置１０はユーザからキーワード及び検索に係る条件を受け付け（Ｓ１）、ＧＰＳ受信部１６で現在の位置を検出し（Ｓ２）、受け付けたキーワード及び検出した位置（位置データ）を番組管理サーバ７へ送信する（Ｓ３）。番組管理サーバ７は、送信されてきたキーワード及び位置を受信し（Ｓ４）、受信したキーワード及び位置に基づき番組表データを作成し（Ｓ５）、作成した番組表データを番組受信装置１０へ送信する（Ｓ６）。なお、番組管理サーバ７は、番組表データの送信により処理を終了し、後は番組受信装置１０での処理になる。また、番組受信装置１０は、送信されてきた番組表データより番組表データベースを作成する（Ｓ７）。
【００４６】
次に、図８の第２フローチャートに移って、番組受信装置１０は作成した番組表データベースに対して受け付けた条件でキーワードに応じた番組を現在の時刻で検索し（Ｓ１０）、検索に該当した番組が有るか無いかを判断する（Ｓ１１）。検索に該当した番組が無い場合（Ｓ１１：ＮＯ）、該当なしの表示を表示部２０で行い（Ｓ１２）、図７の第１フローチャートのキーワード及び検索に係る条件を受け付ける段階（Ｓ１）に戻る。また、検索に該当した番組が有る場合（Ｓ１１：ＹＥＳ）、該当した番組を受信し（Ｓ１３）、受信した番組に係る番組情報を表示部２０に表示する（Ｓ１４）。
【００４７】
番組受信装置１０は、上述したように番組情報を表示した状態でユーザから受信する番組のキャンセルを操作部１３のキャンセルボタンで受け付けたか否かを判断する（Ｓ１５）。キャンセルを受け付けた場合（Ｓ１５：ＹＥＳ）、次に番組受信装置１０は新たなキーワードを受け付けたか否かを判断し（Ｓ１６）、新たなキーワードを受け付けた場合（Ｓ１６：ＹＥＳ）、図７の第１フローチャートの現在の位置を検出する段階（Ｓ２）に戻り、新たなキーワードを受け付けていない場合（Ｓ１６：ＮＯ）、検索条件に該当した次の番組が有るか否かを判断する（Ｓ１７）。該当した次の番組が有る場合（Ｓ１７：ＹＥＳ）、その番組を受信する段階（Ｓ１３）へ戻り、該当した次の番組が無い場合（Ｓ１７：ＮＯ）、該当なしの表示を表示部２０で行ってから（Ｓ１２）、図７の第１フローチャートのキーワード及び検索に係る条件を受け付ける段階（Ｓ１）に戻る。
【００４８】
一方、番組のキャンセルを受け付けていない場合（Ｓ１５：ＮＯ）、音声、映像と云う受信内容を出力する（Ｓ１８）。これによりユーザは容易に嗜好に合う番組を楽しむことができる。また、番組受信装置１０は、受信した番組の放送が終了したか否かを検出し（Ｓ１９）、番組の放送が終了したことを検出した場合（Ｓ１９：ＹＥＳ）、検索の段階（Ｓ１０）へ戻り、その時刻で新たな番組の検索を行う。番組の放送が終了していないことを検出した場合（Ｓ１９：ＮＯ）、次に番組受信装置１０は、現在位置が受信対象の番組の受信可能地域内であるか否かを判断する（Ｓ２０）。
【００４９】
現在位置が受信可能地域内でないと判断した場合（Ｓ２０：ＮＯ）、図７の第１フローチャートのキーワード及び位置を送信する段階（Ｓ３）へ戻り、現在位置に応じた番組表データを取得する。また、現在位置が受信可能地域内であると判断した場合（Ｓ２０：ＹＥＳ）、番組受信装置１０は操作部１３で受信の停止操作を受け付けたか否かを判断する（Ｓ２１）。停止操作を受け付けていない場合（Ｓ２１：ＮＯ）、受信内容を出力する段階（Ｓ１８）へ戻り音声や映像の出力を継続し、停止操作を受け付けた場合（Ｓ２１：ＹＥＳ）、番組受信装置１０は処理を終了する。
【００５０】
このように本発明は、番組受信装置１０を搭載した自動車２が移動してもユーザの嗜好に合った番組を常時自動で受信できるため、移動体に好適な番組受信を実現できる。なお、本発明は上述した実施形態に限定されるものではなく種々の変形例の適用が可能である。例えば、番組受信装置１０は、地上デジタルテレビ放送、衛星デジタルテレビ放送、ＶＨＦテレビ放送、ＵＨＦテレビ放送、衛星アナログテレビ放送、インターネットテレビ放送、地上デジタルラジオ放送、衛星デジタルラジオ放送、ＡＭ短波ラジオ放送、ＡＭ中波ラジオ放送、ＦＭラジオ放送、衛星アナログラジオ放送、又はインターネットラジオ放送のいずれかを受信するようにしてもよく、特に複数の放送を受信可能にすることが受信対象を広げる点から好適である。また、番組の受信状況の検知に対して、番組受信装置１０は、放送受信部１１で受信する放送電波の強度又は通信部１２の受信に係る強度を検知し、検知した強度が一定の閾値を下回る場合、現在の位置が番組の受信可能地域を外れたと判断するような構成にすることも可能である。
【００５１】
また、通信部１２には、ＰＨＳ、無線ＬＡＮ及びＢｌｕｅｔｏｏｔｈ等の各種無線通信方式を適用でき、また、通信部１２が通信を行う中継基地局６ａ〜６ｎを特定することで、番組受信装置１０の位置を検出するような構成も適用でき、このような構成では、ＧＰＳ受信部１６を省略することも可能となる。また、番組管理サーバ７が番組受信装置１０からの通信を行う中継基地局６ａ〜６ｎの位置を検知することにより、自動車２（番組受信装置１０）の位置を番組管理サーバ７側で検出するようにしてもよい。また、自動車２（番組受信装置１０）の位置検出には、ＤＳＲＣ(Dedicated Short Range Communication)を利用してもよい。さらに、番組受信装置１０は入力されたキーワードや受信した放送種類等を記録部１５に蓄積すると共に、検索に利用頻度の高いキーワードや受信頻度の高い放送局を特定するようにして、特定したキーワード及び放送局の検索条件で自動検索し、検索に係るユーザの操作負担を軽減するような構成の適用も可能である。
【００５２】
さらにまた、番組受信装置１０は、番組管理サーバ７へはＧＰＳ受信部１６で検出した位置に係る位置データのみを送信し、番組管理サーバ７は、送信されてきた位置データに係る緯度経度で受信可能な番組表データを作成して送信するような構成を適用することも可能である。この場合、番組受信装置１０は現在の位置で受信できる全ての番組に係る番組表データを取得でき、その番組表データより番組表データベースを作成して入力されたキーワード及び検索条件で検索を行うことになる。また、番組管理サーバ７は受信地域に応じた番組表データを作成すれば済み、検索キーに応じた番組を探す処理が不要となるため処理負担が軽減されている。
【００５３】
図９は、本発明の一変形例に係る番組受信方法の処理手順を示す第３フローチャートである。この変形例に係る番組受信方法では、図１に示す自動車２に搭載された番組受信装置１０からキーワード及び位置を番組管理サーバ７へ送信するのではなく、番組管理サーバ７から各放送種類の全放送の番組に係る情報を有する番組一覧データを番組受信装置１０へ送信し、番組受信装置１０は送信されてきた番組一覧データに基づき番組一覧データベースを作成し、その番組一覧データベースに対して検索を行う。
【００５４】
そのため、変形例の番組管理サーバ７は、図６に示すハードディスク７ｂに記録されるテレビ放送、ＡＭラジオ放送及びＦＭラジオ放送等に係る番組、及びそれらの番組の受信可能地域等の情報を含む番組データに基づき６時間分、１日分と云う所要時間分の全放送に係る番組一覧データを作成し、その番組一覧データを適宜外部へ送信する構成になっている。また、変形例の番組受信装置１０では、図３に示す通信部１２で番組一覧データを適宜受信し、システム制御部１４で受信した番組一覧データより検索に対応した番組一覧データベースを作成して記録部１５に記録するようにしている。また、キーワード及び検索条件が入力されると共にＧＰＳ受信部１６で位置が検出されると、システム制御部１４は、現在の位置で受信でき且つキーワードに応じた番組を番組一覧データベースの中から入力された検索条件で検索し、検索に該当した番組を放送受信部１１又は通信部１２で受信する構成にしている。
【００５５】
よって、このような変形例の構成では、図９の第３フローチャートに示すように、番組管理サーバ７が番組一覧データを送信し（Ｓ３０）、番組受信装置１０が番組一覧データベースを作成し（Ｓ３１）、キーワード及び検索に係る条件を受け付け（Ｓ３２）、さらに、現在の位置を検出し（Ｓ３３）、ユーザの嗜好に合致し且つ現在位置で受信できる番組を番組一覧データベースから検索することになる（Ｓ３４）。なお、検索後の処理は、図８の第２フローチャートと基本的に同等な処理手順になるが、異なる処理内容として以下の３点が挙げられる。即ち、該当なしの表示（Ｓ１２）の後は新しいキーワードの入力待ち状態になり、また、新たなキーワードを受け付けた場合（Ｓ１６：ＹＥＳ）に新たなキーワードで検索を行い、さらに、現在位置が受信可能地域内でない場合（Ｓ２０：ＮＯ）に新たな位置で受信可能な番組を検索することが第２フローチャートの処理とは相異する。
【００５６】
なお、上述した変形例では、番組受信装置１０から番組管理サーバ７へは特にデータを送らないため、番組管理サーバ７は放送局の放送装置から放送電波にのせて番組一覧データを送信する構成にすることも可能である。
【００５７】
また、別の変形例の番組受信方法として、見るラジオに対応したラジオ放送及び衛星ラジオ放送等が現在の曲名、次の曲名等を放送電波に付加して送信することを利用して、ユーザの好みに合う番組をサーチすることも可能である。この変形例では、番組受信装置１０は、放送受信部１１で受信した放送電波の文字に係る内容を検索可能なデータに変換する処理部を新たに設けることが必要となる。また、この変形例の処理では、この処理部で変換したデータに対し入力されたキーワードで検索し、検索に該当した場合は、その番組の受信を継続し、該当しなかった場合は受信可能な別の放送の番組を受信して検索を行うことになる。そのため、この変形例では、番組管理サーバ７を不要にできシステム全体の構成を簡易化できる。
【図面の簡単な説明】
【００５８】
【図１】本発明の実施形態に係る番組受信システムの概略図である。
【図２】番組表データの一部を示す図表である。
【図３】番組受信装置の内部構成を示すブロック図である。
【図４】番組受信装置の操作部に係る概略図である。
【図５】自動車の移動に伴う受信形態を示す概略図である。
【図６】番組管理サーバの内部構成を示すブロック図である。
【図７】番組受信方法の処理手順を示す第１フローチャートである。
【図８】番組受信方法の処理手順を示す第２フローチャートである。
【図９】変形例に係る番組受信方法の処理手順を示す第３フローチャートである。
【符号の説明】
【００５９】
１  番組受信システム
２  自動車
３  放送装置
４  人工衛星
５  ネットワーク
６ａ〜６ｎ  中継基地局
７  番組管理サーバ
１０  番組受信装置
１１  放送受信部
１２  通信部
１３  操作部
１４  システム制御部
１５  記録部
１６  ＧＰＳ受信部
３０  番組表データ
【図１】
2005236901.tif 000003
【図２】
2005236901.tif 000004
【図３】
2005236901.tif 000005
【図４】
2005236901.tif 000006
【図５】
2005236901.tif 000007
【図６】
2005236901.tif 000008
【図７】
2005236901.tif 000009
【図８】
2005236901.tif 000010
【図９】
2005236901.tif 000011